(57)【特許請求の範囲】
【請求項１】
テンションを付与されたワイヤーと、該ワイヤーの長さ方向の中間部に設けられたマスとが、筒体の内部に、ワイヤ−の延びる方向を筒体の軸線方向に向けるようにして収容されると共に、前記ワイヤーの各端部を保持する保持部が備えられ、前記マスが筒体内部でワイヤーと直交する方向に筒体内周部に当たることなく振動するようになされており、かつ、前記筒体の両端部に、パイプ状の手摺り棒部に内嵌め式に嵌合される嵌合用凸部が設けられたチューンドマスダンパーが、前記筒体の外周部を手摺り面とし、各嵌合用凸部を前記パイプ状手摺り棒部に嵌合させて、該筒体の外周部と手摺り棒部の外周部とが面一に連続するように、前記手摺り棒部の延びる方向の中間部に介設され、前記保持部の一方又は両方にワイヤーのテンションを調整する張力調整機構が備えられ、該テンションを調整することによりマスの固有振動数を調整することができるようになされていて、該張力調整機構の調整用操作部が前記筒体の端部に筒体の外から操作可能に備えられていることを特徴とする手摺り棒部の制振構造。
【発明の詳細な説明】
【技術分野】
【０００１】
本発明は、手摺り棒部の制振構造及びチューンドマスダンパーに関する。
【背景技術】
【０００２】
リビング階段などの屋内階段として、スケルトン階段やらせん階段が用いられることがあり、これらスケルトン階段やらせん階段は、構成部材として細身の部材が用いられる傾向にあり、そのため、階段昇降時に手摺り棒部に揺れを生じやすく、階段を昇降する者に不安感を与えてしまいやすい。
【０００３】
そのため、従来より、階段の手摺りではないけれども、鉄道車両の車室内に設けられる手摺り棒部の内部に遊動室を設け、該遊動室内に、弾性材で被覆したマスを遊動可能に配置し、車両の振動で遊動室内のマスを遊動室を囲む面に衝突させて手摺り棒部の振動を低減するようにしたものが提案されている。
【特許文献１】特開２００４−１２２８４５号公報
【発明の開示】
【発明が解決しようとする課題】
【０００４】
しかしながら、上記のような制振構造では、必ずしもチューンドマスダンパーのような振動低減効果は得られないし、また、マスを弾性体で被覆しているとはいうものの、マスが遊動室を囲む面に当たる際の衝撃が手摺り棒部に伝わってしまい、手摺りに触れる者に不快感を生じさせてしまいやすいという問題もある。
【０００５】
本発明は、上記のような問題点に鑑み、高い振動低減効果を発揮することができ、しかも、触れる者に不快感を感じさせることのない手摺り棒部の制振構造等を提供することを課題とする。
【課題を解決するための手段】
【０００６】
上記の課題は、テンションを付与されたワイヤーと、該ワイヤーの長さ方向の中間部に設けられたマスとが、筒体の内部に、ワイヤ−の延びる方向を筒体の軸線方向に向けるようにして収容されると共に、前記ワイヤーの各端部を保持する保持部が備えられ、前記マスが筒体内部でワイヤーと直交する方向に筒体内周部に当たることなく振動するようになされたチューンドマスダンパーが、前記筒体の外周部を手摺り面とするように、手摺り棒部の延びる方向の中間部に介設されるか、又は、手摺り棒部の端部に設けられていることを特徴とする手摺り棒部の制振構造によって解決される（第１発明）。
【０００７】
この構造では、手摺り棒部がその軸線方向と直交する方向に振動すると、チューンドマスダンパーのマスが、手摺り棒部の振動の方向とは反対の方向にパッシブに振動して、手摺り棒部の振動を効果的に低減することができる。
【０００８】
しかも、マスは、テンションを付与されたワイヤーの長さ方向の中間部に設けられ、筒体内部でワイヤーと直交する方向に筒体内周部に当たることなく振動するようになされているので、チューンドマスダンパーや手摺り棒部に触れる者にマスの振動に伴う不快感を感じさせることもない。
【０００９】
加えて、チューンドマスダンパーは、テンションを付与されたワイヤーの長さ方向の中間部にマスを設け、該マスをワイヤーの延びる方向と直交する方向に振動させるようにしているので、細身の手摺り棒部に対して、効果的な制振作用を行うことができながら、無理なく組み込むことができる。
【００１０】
第１発明において、前記保持部の一方又は両方にワイヤーのテンションを調整する張力調整機構が備えられ、該テンションを調整することによりマスの固有振動数を調整することができるようになされていて、該張力調整機構の調整用操作部が前記筒体の端部に筒体の外から操作可能に備えられているとよい（第２発明）。
【００１１】
この場合は、張力調整機構が備えられているので、チューンドマスダンパーのマスの固有振動数と、実際に設置される手摺り棒部の固有振動数との間にズレがあるような場合でも、マスの固有振動数を張力調整機構による調整で容易に一致させることができる。特に、張力調整機構の調整用操作部は筒体の端部に筒体の外から操作可能に備えられているので、調整を容易に行うことができる。
【００１２】
また、上記の課題は、テンションを付与されたワイヤーと、該ワイヤーの長さ方向の中間部に設けられたマスと、ワイヤーの各端部を保持する保持部とを備えたチューンドマスダンパーの前記ワイヤーとマスとが、ワイヤーを手摺り棒部の延びる方向に向けるようにして手摺り棒部に内蔵され、マスがワイヤーと直交する方向に周囲に当たることなく振動するようになされていることを特徴とする手摺り棒部の制振構造によって、同様に解決される（第３発明）。
【００１３】
また、第３発明において、ワイヤーのテンションを調整する張力調整機構が備えられ、該テンションを調整することによりマスの固有振動数を調整することができるようになされていているとよく、その場合は、第２発明で述べたのと同じように、チューンドマスダンパーのマスの固有振動数と、実際に設置される手摺り棒部の固有振動数との間にズレがあるような場合でも、マスの固有振動数を張力調整機構による調整で容易に一致させることができる。
【００１４】
なお、第３発明では、筒体の外周部が手摺り面であることや、筒体が備えられていること、また、チューンドマスダンパーが手摺り棒部の延びる方向の中間部に介設されていることや手摺り棒部の端部に設けられていることなどは、任意の構成要件である。
【００１５】
また、本発明は、テンションを付与されたワイヤーと、該ワイヤーの長さ方向の中間部に設けられたマスとが、筒体の内部に、ワイヤの延びる方向を筒体の軸線方向に向けるようにして収容されると共に、前記ワイヤーの各端部を保持する保持部が備えられ、前記マスが筒体内部でワイヤーと直交する方向に筒体内周部に当たることなく振動するようになされていることを特徴とするチューンドマスダンパーを含む（第４発明）。
【００１６】
このチューンドマスダンパーでは、制振対象部がワイヤーの延びる方向と直交する方向に振動すると、チューンドマスダンパーのマスが、制振対象部の振動の方向とは反対の方向にパッシブに振動して、制振対象部の振動を効果的に低減することができる。
【００１７】
しかも、マスは、テンションを付与されたワイヤーの長さ方向の中間部に設けられ、筒体内部でワイヤーと直交する方向に筒体内周部に当たることなく振動するようになされているので、チューンドマスダンパーや制振対象部に触れる者にマスの振動に伴う不快感を感じさせることもない。
【００１８】
加えて、チューンドマスダンパーは、テンションを付与されたワイヤーの長さ方向の中間部にマスを設け、該マスをワイヤーの延びる方向と直交する方向に振動させるようにしているので、制振対象部が細身のものである場合には、制振対象部の効果的な制振作用を行うことができながら、細身の制振対象部に対して、その延びる方向に筒体の軸線方向を向けるようにして無理なく組み込むことができる。
【００１９】
また、第４発明において、前記保持部の一方又は両方にワイヤーのテンションを調整する張力調整機構が備えられ、該テンションを調整することによりマスの固有振動数を調整することができるようになされており、前記張力調整機構の調整用操作部が前記筒体の端部に筒体の外から操作可能に備えられているとよく、その場合は、チューンドマスダンパーのマスの固有振動数と、実際に設置される制振対象部の固有振動数との間にズレがあるような場合でも、マスの固有振動数を張力調整機構による調整で容易に一致させることができ、特に、張力調整機構の調整用操作部が筒体の端部に筒体の外から操作可能に備えられていることで、調整を容易に行うことができる。また、固有振動数の異なる種々の制振対象部に対して、マスの固有振動数を制振対象部の固有振動数に一致させる調整をすることができて、汎用性を高めることができる。
【発明の効果】
【００２０】
本発明は、以上のとおりのものであるから、高い振動低減効果を発揮することができ、しかも、触れる者に不快感を感じさせることもない。
【発明を実施するための最良の形態】
【００２１】
次に、本発明の実施最良形態を図面に基づいて説明する。
【００２２】
図１〜図３に示す実施形態の手摺り棒部の制振構造は、図３（イ）に示すようなスケルトン階段１の手摺り棒部３や、あるいは、図３（ロ）に示すような空中廊下２の手摺り棒部３等に用いられるもので、各手摺り棒部３，３は、階段１の踏み面１ａ側、あるいは、空中廊下２の床面２ａ側から立ち上げられた支柱４の上端部に備えられ、これらの手摺り棒部３，３にチューンドマスダンパー５，５が組み込まれている。
【００２３】
各チューンドマスダンパー５は、図２に示すように、テンションを付与されたワイヤー６と、該ワイヤー６の長さ方向の中間部に設けられたマス７とが、筒体８の内部に、ワイヤー６の延びる方向を筒体８の軸線方向に向けるようにして収容されている。筒体８の各端部にはワイヤー６の各端部を保持する保持部９，９が設けられ、マス７が筒体８の内部でワイヤー６と直交する方向に筒体８の内周部に当たることなく振動するようになされている。
【００２４】
また、ワイヤー６の両端部には雄ネジ材１０，１０が設けられると共に、筒体８の各端部の保持部９，９には貫通のネジ孔１１，１１が設けられ、各雄ネジ材１０と各ネジ孔１１とが螺合されて張力調整機構１２，１２を構成しており、雄ネジ材１０を回転操作することにより、ワイヤー６のテンションを調整し、マス７の固有振動数を調整することができるようになされている。
【００２５】
そして、雄ネジ材１０の外端面には、図２（ロ）に示すように、調節操作部としての十字状の工具係合部１０ａが備えられ、図２（ハ）に示すように、筒体８の外から該工具係合部１０ａに工具１３を係合させて回すことにより、ワイヤー６のテンションの大きさを調整することができるようになされている。
【００２６】
また、本実施形態では、図１（イ）に示すように、筒体８の外周部が手摺り面８ａに形成されると共に、手摺り棒部３はパイプ状のものからなっていて、筒体８を手摺り棒部３の長さ方向の中間部に介設することができるように、筒体８の両端部には、パイプ状の手摺り棒部３に内嵌め式に嵌合するための嵌合用の凸部８ｂ，８ｂが設けられ、図１（ロ）に示すように、各嵌合凸部８ｂ，８ｂを両側の手摺り棒部３ａ，３ａの端部内に嵌合することにより、筒体８の外周部８ａと手摺り棒部３ａ，３ａの外周部とが面一に連続するようになされている。
【００２７】
上記の構造では、手摺り棒部３がその軸線方向と直交する方向に振動すると、チューンドマスダンパー５のマス７が、手摺り棒部３の振動の方向とは反対の方向にパッシブに振動して、手摺り棒部３の振動を効果的に低減することができる。
【００２８】
しかも、マス７は、テンションを付与されたワイヤー６の長さ方向の中間部に設けられ、筒体８の内部でワイヤー６と直交する方向に筒体８の内周部に当たることなく振動するようになされているので、チューンドマスダンパー５や手摺り棒部３に触れる者にマス７の振動に伴う不快感を感じさせることもない。
【００２９】
加えて、チューンドマスダンパー５は、テンションを付与されたワイヤー６の長さ方向の中間部にマス７を設け、該マス７をワイヤー６の延びる方向と直交する方向に振動させるようにしているので、細身の手摺り棒部３に対して、効果的な制振作用を行うことができながら、上記のように無理なく組み込むことができる。
【００３０】
また、上記のチューンドマスダンパー５には、張力調整機構１２が備えられているので、チューンドマスダンパー５のマスの固有振動数と、実際に設置されている手摺り棒部３の固有振動数との間にズレがあるような場合でも、マス７の固有振動数を張力調整機構１２による調整で手摺り棒部３の固有振動数と容易に一致させることができる。特に、本実施形態では、調整用操作部１０ａが筒体８の端部において筒体８の外から操作可能に備えられているので、階段１や空中廊下２における手摺り棒部３の施工において、固有振動数の調整を現場でも容易に行うことができる。
【００３１】
以上に、本発明の実施形態を示したが、本発明はこれに限られるものではなく、発明思想を逸脱しない範囲で各種の変更が可能である。例えば、上記の実施形態では、チューンドマスダンパー５が手摺り棒部３の延びる方向の中間部に介設されている場合を示したが、手摺り棒部の端部に設けられていてもよい。
【００３２】
また、上記の実施形態では、チューンドマスダンパー５の筒体８の外周部８ａを手摺り部とし、該外周部８ａと手摺り棒部３の外周部とを面一に連続させるようにしているが、同じく、筒体８の外周部を手摺り部としながら、非面一、例えば段部や傾斜部を介して連続させるようにしてもよいし、また、第３発明では、筒体をパイプ状の手摺りの内部に収容した構造に構成されていてもよいし、筒体を省略して、マスやワイヤー、保持部等をパイプ状の手摺り棒部の内部に設けた構造に構成されていてもよい。
【００３３】
また、上記の実施形態では、スケルトン階段１の手摺り棒部３と空中廊下２の手摺り棒部３に適用した場合を示したが、本発明は、その他、らせん階段の手摺り棒部など、各種手摺り棒部に適用することができるのはもちろん、第４発明のチューンドマスダンパーについては、手摺り棒部のほか、手摺り棒部３を支える支柱４や、あるいは、杖、ポールなどの各種棒状部あるいは各種線状部の制振構造を形成するためのダンパーとして広く用いることができるものである。
【図面の簡単な説明】
【００３４】
【図１】実施形態の手摺り棒部の制振構造を示すもので、図（イ）は手摺り棒部とチューンドマスダンパーとを分離状態にして示す断面正面図、図（ロ）はチューンドマスダンパーを手摺り棒部に組み込んだ状態の断面正面図、図（ハ）は図（ロ）のＩ−Ｉ線断面矢視図である。
【図２】同実施形態のチューンドマスダンパーを示すもので、図（イ）は断面正面図、図（ロ）は側面図、図（ハ）は張力調整方法を示す断面正面図である。
【図３】図（イ）は階段の手摺り棒部に適用した場合の断面正面図、図（ロ）は空中廊下の手摺り棒部に適用した場合の正面図である。
【符号の説明】
【００３５】
３…手摺り棒部
５…チューンドマスダンパー
６…ワイヤー
７…マス
８…筒体
８ａ…手摺り面
９…保持部
１０ａ…工具係合部（操作部）
１２…張力調整機構
【図１】
0005096073.tif 000002
【図２】
0005096073.tif 000003
【図３】
0005096073.tif 000004